【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
位置情報信号を送信する送信部を有する位置情報送信機と、
人工衛星から送信される衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有し、
前記位置情報送信機は、前記複数の相関器の動作モードを決定する際に用いられる動作モード情報を送信し、
前記通信端末の前記複数の相関器のうちの少なくとも一の相関器は、前記衛星測位信号を受信するよう設定されており、
前記通信端末は、前記動作モード情報を受信すると、当該動作モード情報に基いて、前記一の相関器以外の一又は複数の相関器について、受信すべき信号を前記衛星測位信号と前記位置情報信号との間で切り替えることを特徴とする測位システム。
【請求項２】
請求項１記載の測位システムであって、
前記通信端末は、前記動作モード情報を受信すると、
前記衛星測位信号をサーチする相関器と、前記位置情報信号をサーチする相関器の数の配分を変化させることを特徴とする測位システム。
【請求項３】
請求項１乃至請求項２に記載の測位システムであって、
前記通信端末は、複数の相関器について受信すべき信号を前記衛星測位信号と前記位置情報信号との間で切り替える場合に、当該複数の相関器各々にサーチすべき周波数範囲を設定し、各相関器は設定された周波数範囲をサーチすることで前記動作モード情報に基いて決定された信号を受信することを特徴とする測位システム。
【請求項４】
請求項１乃至請求項３に記載の測位システムであって、
前記通信端末は、前記動作モード情報を受信すると、
屋内モードと屋内・屋外モード兼用モードの間で当該通信端末の動作モードを切替え、当該通信端末が屋内モードで動作する場合には当該通信端末が屋内・屋外兼用モードで動作する場合より多数の相関器が前記位置情報信号を受信するよう設定されることを特徴とする測位システム。
【請求項５】
請求項１乃至請求項３に記載の測位システムであって、
前記通信端末は、前記動作モード情報を受信すると、
屋内モードと屋内・屋外兼用モードと屋外モードとの間で当該通信端末の動作モードを切替え、当該通信端末が屋内モードで動作する場合には当該通信端末が屋内・屋外兼用モードで動作する場合より多数の相関器が前記位置情報信号を受信するよう設定され、当該通信端末が屋内・屋外兼用モードで動作する場合には当該通信端末が屋外モードで動作する場合より多数の相関器が前記位置情報信号を受信するよう設定されることを特徴とする測位システム。
【請求項６】
請求項１記載の測位システムであって、
前記位置情報送信機は更に、自身の現在の周囲環境を示す情報である設置位置環境情報を送信し、前記通信端末は自身の現在の環境情報を入手すると共に、前記位置情報信号送信機から前記設置位置環境情報を受信し、当該設置位置環境情報と当該自身の現在の環境情報に基いて、前記測位処理部が求めた前記現在位置を補正することを特徴とする測位システム。
【請求項７】
請求項６記載の測位システムであって、
前記設置位置環境情報及び前記自身の現在の環境情報は、気圧情報若しくは照度情報であることを特徴とする測位システム。
【請求項８】
請求項１記載の測位システムであって、
前記位置情報送信機は更に、当該位置情報送信機の周囲の位置情報送信機の情報を送信することを特徴とする測位システム。
【請求項９】
請求項１または請求項８記載の測位システムであって、
前記位置情報送信機は更に、当該位置情報送信機の周囲に設置されている他の位置情報送信機が位置情報信号を送信する際に使用するチャネルの情報を送信することを特徴とする測位システム。
【請求項１０】
請求項１乃至請求項５記載の測位システムであって、
前記位置情報送信機から送信される動作モード情報は位置情報信号に格納された境界フラグであることを特徴とする測位システム。
【請求項１１】
位置情報信号を、人工衛星から送信される衛星測位信号と互換性を有する無線信号として送信する送信部を有する位置情報送信機と、
前記衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有し、
前記通信端末の前記複数の相関器のうちの少なくとも一の相関器は、前記衛星測位信号を受信するよう設定されており、
前記通信端末は、前記複数の相関器が受信した信号に応じて、前記一の相関器以外の一又は複数の相関器について、受信すべき信号を前記衛星測位信号と前記位置情報信号との間で切り替えることを特徴とする測位システム。
【請求項１２】
位置情報信号を、人工衛星から送信される衛星測位信号と互換性を有する無線信号として送信する送信部を有する位置情報送信機と、
前記衛星測位信号若しくは前記位置情報信号を受信すると受信した信号に基いて自身の現在位置を求める測位処理部と、前記位置情報信号及び衛星測位信号を受信可能な複数の相関器を有する通信端末とを有し、
前記位置情報送信機は更に、自身の現在の周囲環境を示す情報である設置位置環境情報を送信し、
前記通信端末は自身の現在の環境情報を入手すると共に、前記位置情報送信機から前記設置位置環境情報を受信して、当該設置位置環境情報と当該自身の現在の環境情報に基いて、前記測位処理部が求めた前記現在位置を補正することを特徴とする測位システム。
【請求項１３】
位置情報信号を送信する送信部を有する位置情報送信機と、
人工衛星から送信される衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有し、
前記通信端末の前記複数の相関器のうちの少なくとも一の相関器が、前記衛星測位信号を受信するよう設定されている測位システムの制御方法であって、
前記位置情報送信機が、前記複数の相関器の動作モードを決定する際に用いられる動作モード情報を送信し、
前記通信端末が、前記動作モード情報を受信すると、当該動作モード情報に基いて、前記一の相関器以外の一又は複数の相関器について、受信すべき信号を前記衛星測位信号と前記位置情報信号との間で切り替えることを特徴とする測位システムの制御方法。
【請求項１４】
請求項１３記載の測位システムの制御方法であって、
前記通信端末は、前記動作モード情報を受信すると、
前記衛星測位信号をサーチする相関器と、前記位置情報信号をサーチする相関器の数の配分を変化させることを特徴とする測位システムの制御方法。
【請求項１５】
請求項１３乃至請求項１４に記載の測位システムの制御方法であって、
前記通信端末は、複数の相関器について受信すべき信号を前記衛星測位信号と前記位置情報信号との間で切り替える場合に、当該複数の相関器各々にサーチすべき周波数範囲を設定し、各相関器は設定された周波数範囲をサーチすることで前記動作モード情報に基いて決定された信号を受信することを特徴とする測位システムの制御方法。
【請求項１６】
請求項１３乃至請求項１５に記載の測位システムの制御方法であって、
前記通信端末は、前記動作モード情報を受信すると、
屋内モードと屋内・屋外モード兼用モードの間で当該通信端末の動作モードを切替え、当該通信端末が屋内モードで動作する場合には当該通信端末が屋内・屋外兼用モードで動作する場合より多数の相関器が前記位置情報信号を受信するよう設定されることを特徴とする測位システムの制御方法。
【請求項１７】
請求項１３乃至請求項１５に記載の測位システムの制御方法であって、
前記通信端末は、前記動作モード情報を受信すると、
屋内モードと屋内・屋外兼用モードと屋外モードとの間で当該通信端末の動作モードを切替え、当該通信端末が屋内モードで動作する場合には当該通信端末が屋内・屋外兼用モードで動作する場合より多数の相関器が前記位置情報信号を受信するよう設定され、当該通信端末が屋内・屋外兼用モードで動作する場合には当該通信端末が屋外モードで動作する場合より多数の相関器が前記位置情報信号を受信するよう設定されることを特徴とする測位システムの制御方法。
【請求項１８】
請求項１３記載の測位システムの制御方法であって、
前記位置情報送信機は更に、自身の現在の周囲環境を示す情報である設置位置環境情報を送信し、前記通信端末は自身の現在の環境情報を入手すると共に、前記位置情報信号送信機から前記設置位置環境情報を受信し、当該設置位置環境情報と当該自身の現在の環境情報に基いて、前記測位処理部が求めた前記現在位置を補正することを特徴とする測位システムの制御方法。
【請求項１９】
請求項１８記載の測位システムの制御方法であって、
前記設置位置環境情報及び前記自身の現在の環境情報は、気圧情報若しくは照度情報であることを特徴とする測位システムの制御方法。
【請求項２０】
請求項１３記載の測位システムの制御方法であって、
前記位置情報送信機は更に、当該位置情報送信機の周囲の位置情報送信機の情報を送信することを特徴とする測位システムの制御方法。
【請求項２１】
請求項１３または請求項２０記載の測位システムの制御方法であって、
前記位置情報送信機は更に、当該位置情報送信機の周囲に設置されている他の位置情報送信機が位置情報信号を送信する際に使用するチャネルの情報を送信することを特徴とする測位システムの制御方法。
【請求項２２】
請求項１３乃至請求項１７記載の測位システムの制御方法であって、
前記位置情報送信機から送信される動作モード情報は位置情報信号に格納された境界フラグであることを特徴とする測位システムの制御方法。
【請求項２３】
位置情報信号を、人工衛星から送信される衛星測位信号と互換性を有する無線信号として送信する送信部を有する位置情報送信機と、
前記衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有し、
前記通信端末の前記複数の相関器のうちの少なくとも一の相関器が、前記衛星測位信号を受信するよう設定されている測位システムの制御方法であって、
前記通信端末が、前記複数の相関器が受信した信号に応じて、前記一の相関器以外の一又は複数の相関器について、受信すべき信号を前記衛星測位信号と前記位置情報信号との間で切り替えることを特徴とする測位システムの制御方法。
【請求項２４】
位置情報信号を送信する送信部を有する位置情報送信機と、
人工衛星から送信される衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有し、
前記位置情報送信機は、前記複数の相関器の動作モードを決定する際に用いられる動作モード情報を送信する測位システムにおける前記通信端末であって、
前記測位処理部と前記複数の相関器とを有し、
前記複数の相関器のうちの少なくとも一の相関器は、前記衛星測位信号を受信するよう設定されており、
前記動作モード情報を受信すると、当該動作モード情報に基いて、前記一の相関器以外の一又は複数の相関器について、受信すべき信号を前記衛星測位信号と前記位置情報信号との間で切り替えることを特徴とする通信端末。
【請求項２５】
請求項２４記載の通信端末であって、
前記動作モード情報を受信すると、
前記衛星測位信号をサーチする相関器と、前記位置情報信号をサーチする相関器の数の配分を変化させることを特徴とする通信端末。
【請求項２６】
請求項２４乃至請求項２５に記載の通信端末であって、
複数の相関器について受信すべき信号を前記衛星測位信号と前記位置情報信号との間で切り替える場合に、当該複数の相関器各々にサーチすべき周波数範囲を設定し、各相関器は設定された周波数範囲をサーチすることで前記動作モード情報に基いて決定された信号を受信することを特徴とする通信端末。
【請求項２７】
請求項２４乃至請求項２６に記載の通信端末であって、
前記動作モード情報を受信すると、
屋内モードと屋内・屋外モード兼用モードの間で当該通信端末の動作モードを切替え、当該通信端末が屋内モードで動作する場合には当該通信端末が屋内・屋外兼用モードで動作する場合より多数の相関器が前記位置情報信号を受信するよう設定されることを特徴とする通信端末。
【請求項２８】
請求項２４乃至請求項２６に記載の通信端末であって、
前記動作モード情報を受信すると、
屋内モードと屋内・屋外兼用モードと屋外モードとの間で当該通信端末の動作モードを切替え、当該通信端末が屋内モードで動作する場合には当該通信端末が屋内・屋外兼用モードで動作する場合より多数の相関器が前記位置情報信号を受信するよう設定され、当該通信端末が屋内・屋外兼用モードで動作する場合には当該通信端末が屋外モードで動作する場合より多数の相関器が前記位置情報信号を受信するよう設定されることを特徴とする通信端末。
【請求項２９】
請求項２４記載の通信端末であって、
前記位置情報送信機は更に、自身の現在の周囲環境を示す情報である設置位置環境情報を送信し、前記通信端末は自身の現在の環境情報を入手すると共に、前記位置情報信号送信機から前記設置位置環境情報を受信し、当該設置位置環境情報と当該自身の現在の環境情報に基いて、前記測位処理部が求めた前記現在位置を補正することを特徴とする通信端末。
【請求項３０】
請求項２９記載の通信端末であって、
前記設置位置環境情報及び前記自身の現在の環境情報は、気圧情報若しくは照度情報であることを特徴とする通信端末。
【請求項３１】
位置情報信号を、人工衛星から送信される衛星測位信号と互換性を有する無線信号として送信する送信部を有する位置情報送信機と、
前記衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有する測位システムにおける前記通信端末であって、
前記測位処理部と前記複数の相関器とを有し、
前記複数の相関器のうちの少なくとも一の相関器は、前記衛星測位信号を受信するよう設定されており、
前記複数の相関器が受信した信号に応じて、前記一の相関器以外の一又は複数の相関器について、受信すべき信号を前記衛星測位信号と前記位置情報信号との間で切り替えることを特徴とする通信端末。
【手続補正２】
【補正対象書類名】明細書
【補正対象項目名】発明の名称
【補正方法】変更
【補正の内容】
【発明の名称】測位システム、測位システムの制御方法、及び通信端末
【手続補正３】
【補正対象書類名】明細書
【補正対象項目名】０００１
【補正方法】変更
【補正の内容】
【０００１】
本発明は、測位システム、測位システムの制御方法、及び通信端末に関し、とくに安定して確実に通信端末の現在位置を取得できるようにする技術に関する。
【手続補正４】
【補正対象書類名】明細書
【補正対象項目名】０００５
【補正方法】変更
【補正の内容】
【０００５】
本発明はこのような背景に基づいてなされたものであり、安定して確実に通信端末の現在位置を取得することが可能な測位システム、測位システムの制御方法、及び通信端末を提供することを目的とする。
【手続補正５】
【補正対象書類名】明細書
【補正対象項目名】０００６
【補正方法】変更
【補正の内容】
【０００６】
上記目的を達成する本発明のうちの一つは、測位システムであって、
位置情報信号を送信する送信部を有する位置情報送信機と、
人工衛星から送信される衛星測位信号若しくは前記位置情報信号を受信すると受信した信号に基いて自身の現在位置を求める測位処理部と、前記位置情報信号及び前記衛星測位信号を受信可能な複数の相関器を有する通信端末とを有し、
前記位置情報送信機は、前記複数の相関器の動作モードを決定する際に用いられる動作モード情報を送信し、
前記通信端末の前記複数の相関器のうちの少なくとも一の相関器は、前記衛星測位信号を受信するよう設定されており、
前記通信端末は、前記動作モード情報を受信すると、当該動作モード情報に基いて、前記一の相関器以外の一又は複数の相関器について、受信すべき信号を前記衛星測位信号と前記位置情報信号との間で切り替えることとする。
【手続補正６】
【補正対象書類名】明細書
【補正対象項目名】００３９
【補正方法】変更
【補正の内容】
【００３９】
次に動作モード設定部は、取得した動作モードに応じて相関部２２１の各相関器が捕捉する無線信号（衛星測位信号又は位置情報信号）のチャンネル（各相関器が復調するＣ／Ａコード）と中心周波数を設定する（Ｓ６１２、Ｓ６１３）。中心周波数は例えばＬ１信号の場合は１５７５．４２ＭＨｚである。尚、必ずしも完全にこの周波数に一致するわけではなく、少しずれた周波数に設定される場合もある。